(57)【要約】  本発明は、後装式バレル内で迫撃砲弾（１）を支持するための支持部材（６）に関する。支持部材（６）は、端部フランジ（７）を有する支持要素（８）と、前記迫撃砲弾（１）の実際のプライマーを点火するための点火機構と、前記迫撃砲弾（１）の尾部（４）に前記支持要素（８）を取り付けるための連結手段（１０）と、を備えている。前記迫撃砲弾（１）の前記尾部（４）に前記支持要素（８）を取り付けるための前記連結手段（１０）は、バネ力によって、前記迫撃砲弾（１）の前記尾部（４）に取り付けるように配置された少なくとも一つの可撓部（１３，２０，３０）を含む。
2011511249.tif 000002
【特許請求の範囲】
【請求項１】
後装式バレル内で迫撃砲弾（１）を支持するための支持部材（６）であって、
端部フランジ（７）を有する支持要素（８）と、
前記迫撃砲弾（１）の実際のプライマーを点火するための点火機構と、
前記迫撃砲弾（１）の尾部（４）に前記支持要素（８）を取り付けるための連結手段（１０）と、を備え、
前記迫撃砲弾（１）の前記尾部（４）に前記支持要素（８）を取り付けるための前記連結手段（１０）は、バネ力によって、前記迫撃砲弾（１）の前記尾部（４）に取り付けるように配置された少なくとも一つの可撓部（１３，２０，３０）を含む、ことを特徴とする支持部材（６）。
【請求項２】
前記可撓部（１３，２０，３０）は、前記迫撃砲弾（１）の前記尾部（４）の外縁（１４）にバネ力を向けるように配置されている、ことを特徴とする請求項１に記載の支持部材（６）。
【請求項３】
前記可撓部は、前記迫撃砲弾（１）の前記尾部（４）の前記外縁（１４））にバネ力を向けるように、前記迫撃砲弾（１）の前記尾部（４）を受けるように配置されたバネリング（１３）を含む、ことを特徴とする請求項２に記載の支持部材（６）。
【請求項４】
縁に、二つ以上の隣接する薄板（２２）を含む一つ以上のラミネートリング（２０）を備え、
前記ラミネートリング（２０）は、前記ラミネートリング（２０）の一つ以上の薄板（２２）が、前記迫撃砲弾（１）の前記尾部（４）の外縁（１４）にバネ力を向けることで、前記迫撃砲弾（１）の前記尾部（４）を受けるように配置されている、ことを特徴とする請求項２に記載の支持部材（６）。
【請求項５】
前記可撓部（１３，２０，３０）は、前記迫撃砲弾（１）の前記尾部（４）の一部を形成する一つ以上のガイド羽根（５）にバネ力を向けるように配置されている、ことを特徴とする請求項１に記載の支持部材（６）。
【請求項６】
前記可撓部は、前記迫撃砲弾（１）の前記尾部（４）の一部を形成する一つ以上のガイド羽根（５）にバネ力を向けるように、前記迫撃砲弾（１）の前記尾部（４）の一部を形成する一つ以上のガイド羽根（５）を受けるように配置されたスロットを有するバネリング（１３）を含む、ことを特徴とする請求項３または５のいずれかに記載の支持部材（６）。
【請求項７】
前記可撓部（３０）は、前記迫撃砲弾（１）の前記尾部（４）に設けられたカウンターパート（３２）または頭部を受けるように配置されて、前記可撓部（３０）が前記カウンターパート（３２）または前記頭部にバネ力を向ける、ことを特徴とする請求項１に記載の支持部材（６）。
【請求項８】
前記可撓部は、縦軸を横断する方向で曲がるように配置されたスリーブのような連結部（３０）を含む、ことを特徴とする請求項７に記載の支持部材（６）。
【請求項９】
前記カウンターパート（３２）が前記連結部（３０）内に配置されるように、前記スリーブのような連結部（３０）は、前記迫撃砲弾（１）の前記尾部（４）に設けられた前記カウンターパート（３２）を受けるように配置されている、ことを特徴とする請求項８に記載の支持部材（６）。
【請求項１０】
迫撃砲弾に支持部材を取り付けるための方法において、
前記迫撃砲弾の尾部に、支持要素を含む支持部材を配置することと、
前記迫撃砲弾の前記尾部に前記支持部材を取り付けることと、を備え、
前記支持部材を、前記迫撃砲弾の尾部および／または前記迫撃砲弾の尾部の一部を形成する一つ以上のガイド羽根および／または前記迫撃砲弾の尾部に設けられたカウンターパートに、一つ以上の可撓部によって取り付け、
前記迫撃砲弾の尾部を受けるときに、前記可撓部が、前記迫撃砲弾の尾部の外縁および／または前記迫撃砲弾の尾部の一部を形成する一つ以上のガイド羽根および／または前記迫撃砲弾の尾部に設けられたカウンターパートに、バネ力を向ける、ことを特徴とする方法。
【発明の詳細な説明】
【技術分野】
【０００１】
本発明は、請求項１のプレアンブルによる支持部材に関し、特に、後装式バレル内で迫撃砲弾を支持するための支持部材に関する。支持部材は、端部フランジを有する支持要素と、迫撃砲弾の実際のプライマーを点火するための点火機構とを備え、さらに、迫撃砲弾の尾部に支持要素を取り付けるための連結手段も備える。本発明は、さらに、迫撃砲弾に支持部材を取り付けるための請求項１０のプレアンブルによる方法に関し、当該方法は、支持要素を含む支持部材を迫撃砲弾の尾部内に配置することと、迫撃砲弾の尾部に支持部材を取り付けることとを備える。
【背景技術】
【０００２】
迫撃砲は、迫撃砲を一つの場所から別の場所へ便利よく移動することを可能にし、他方、砲座から安全な場所へ迅速に移動することを可能にする、装甲車のような移動可能なベースに配置されうる。迫撃砲を発射するために垂直または下方に向かって迫撃砲を使用するときには、迫撃砲弾が迫撃砲の滑らかな内腔のバレル内の一つの場所に留まらず、バレル内で前方にスライドするかもしれず、そのため、迫撃砲弾をもはや発射することができなくなることが問題である。米国特許5,503,080は、迫撃砲弾の尾部のガイド羽根に対する摩擦によって、支持部材が取り付けられうることを開示する。この開示によって教示される解決法は、少なくとも十分に信頼できる方法で機能するために、発射体の尾部と支持部材それ自身の両方のかなり正確な大きさを要求するという問題を有する。
【発明の概要】
【発明が解決しようとする課題】
【０００３】
本発明の目的は、このように、支持部材を迫撃砲弾に取り付けるための支持部材と方法を提供することにある。本発明の目的は、迫撃砲弾の尾部に支持要素を取り付けるための連結手段が、バネ力によって、迫撃砲弾の尾部に取り付けるように配置された少なくとも一つの可撓部を含む、ことを特徴とする請求項１の特徴部による支持部材で達成される。本発明の目的は、また、支持部材を、迫撃砲弾の尾部および／または迫撃砲弾の尾部の一部を形成する一つ以上のガイド羽根および／または迫撃砲弾の尾部に設けられたカウンターパートに、一つ以上の可撓部によって取り付け、迫撃砲弾の尾部を受けるときに、可撓部が、迫撃砲弾の尾部の外縁および／または迫撃砲弾の尾部の一部を形成する一つ以上のガイド羽根および／または迫撃砲弾の尾部に設けられたカウンターパートに、バネ力を向ける、ことを特徴とする請求項１０による方法で達成される。
【０００４】
好ましい本発明の実施の形態は、従属項に開示されている。
【課題を解決するための手段】
【０００５】
本発明は、迫撃砲弾の尾部にバネ力を向ける連結手段で支持部材に取り付けられる迫撃砲弾に基づく。すなわち、連結手段は、迫撃砲弾の尾部を支持部材に取り付けるための可撓部を含む。本発明によれば、可撓部は、迫撃砲弾の尾部の外縁または迫撃砲弾の尾部の一部を形成する一つ以上のガイド羽根または迫撃砲弾の尾部の外縁と一つ以上のガイド羽根の両方、にバネ力を向けるように、迫撃砲弾の尾部を受けてもよい。また、迫撃砲弾の尾部はカウンターパートを有してもよく、このカウンターパートに、可撓部がバネ力によって取り付けられる。
【０００６】
本発明において、支持部材の迫撃砲弾の尾部への取り付けはバネ力に基づいており、取り付けは摩擦に基づく尾部よりも信頼できるものである。また、迫撃砲弾の製造による可能性のある大きさの多様性は、摩擦尾部の解決におけるのと同程度に決定的に、取り付け力の大きさと支持部材の場所に留まることに影響を与えない。本発明による解決において、取り付け力を制御することは比較的容易である。また、本発明の利点は、困難な条件でも、容易かつ迅速に、支持部材が迫撃砲弾の尾部に取り付けられうることである。
【０００７】
本発明の実施の形態によれば、支持部材は、迫撃砲弾の尾部を受けるように配置されたバネリングを有する。迫撃砲弾の尾部を受けるときに、バネリングは曲がると同時に、バネ力を迫撃砲弾の尾部に向ける。バネリングは、迫撃砲弾の尾部の外縁にバネ力が向けられるように設けられてもよい。また、バネリングは、迫撃砲弾の尾部の一部を形成するガイド羽根を受けるための一つ以上のスロットを含み、スロットの中で受けられるガイド羽根はバネリングを曲げ、スロットは迫撃砲弾を支持部材に取り付けるためにガイド羽根にバネ力を向ける。
【０００８】
本発明の別の実施の形態において、支持部材は、迫撃砲弾の尾部を受けるように配置されたラミネートリングを有する。ラミネートリングは、ラミネートリングが迫撃砲弾の尾部の外縁にバネ力を向けるように設けられている。すなわち、迫撃砲弾の尾部は、ラミネートリングによって形成された空間内で受けるように配置され、迫撃砲弾の尾部が受けられたときに、ラミネートリングは少なくとも部分的に曲がり、迫撃砲弾の尾部にバネ力を向ける。また、ラミネートリングは迫撃砲弾の尾部の一部を形成する一つ以上のガイド羽根を受けるように配置され、一つ以上のガイド羽根を受けたときに、ラミネートリングは少なくとも部分的に曲がり、受けられたガイド羽根にバネ力を向ける。
【０００９】
本発明のさらに別の実施の形態において、支持部材は、迫撃砲弾の尾部に設けられたカウンターパートを受けるように配置された可撓性のある連結部を有する。可撓性のある連結部は、カウンターパートを受けたときにその縦軸を横断する方向で曲がり、迫撃砲弾を支持部材に取り付けるためのバネ力をカウンターパートに向けるように配置された、例えば、可撓性のあるスリーブのような連結部であってもよい。
【００１０】
本発明は、添付された図面を参照にして、好ましい実施の形態でより詳細に記載される。
【図面の簡単な説明】
【００１１】
【図１】図１は、本発明の実施の形態による支持部材によって、武器バレル内で支持された迫撃砲を概略で示す。
【図２】図２は、バネリングによって迫撃砲弾に支持部材を取り付けるための本発明による実施の形態の概略を示す。
【図３】図３は、バネリングによって迫撃砲弾に支持部材を取り付けるための本発明による第２の実施の形態の概略を示す。
【図４】図４は、ラミネートリングによって、迫撃砲弾に支持部材を取り付けるための本発明による実施の形態の横断面図を概略で示す。
【図５】図５は、図４によるラミネートリングを概略で示す。
【図６】図６は、可撓部と迫撃砲弾に設けられたカウンターパートによって、迫撃砲弾に支持部材を取り付けるための本発明による実施の形態の概略を示す。
【図７】図７は、支持部材が可撓部によって迫撃砲弾に取り付けられたときの図６による実施の形態を示す。
【発明を実施するための形態】
【００１２】
図１は、本発明の実施の形態による支持部材６によって、武器のバレル２内で支持された迫撃砲１の概略を示す。
【００１３】
迫撃砲１は、後装式武器のバレル２内に配置されている。内部で、バレル２の内面が実質的に滑らかな迫撃砲であってもよい。迫撃砲弾１の後部は、尾管３と尾部４とを含む。尾部４は、迫撃砲弾１の弾道に影響を与えるための一つまたは典型的には複数のガイド羽根５を含む。迫撃砲弾１を構成する尾部は、図で示された構造から離れてもよい。明確性のために、武器の尾部と他の尾部は示されていない。
【００１４】
本発明による支持部材６は、発射されるまで、バレル２内の所定の位置に迫撃砲弾１を維持するために、尾部４に取り付けられる。支持部材６の一部を形成する支持要素８の外部ケーシング１２は、迫撃砲弾１の尾部４の少なくとも一部が、その中に位置づけられることができるような大きさからなっている。支持部材６の端部フランジ７は、バレル２が水平方向に向いたとき、また、バレル２が下方に向いたときでさえ、迫撃砲弾１がバレル２内で前方に移動することを防止する。支持部材６は、迫撃砲弾１による負荷だけでなく、振動や加速によるあらゆる力にも耐えるだけの大きさになっている。支持要素８は、迫撃砲弾１を支持部材６に取り付けるための連結手段１０をさらに備える。
【００１５】
連結手段１０は、好ましくは選択的に開閉可能な、例えばねじ結合または別の機械的な結合で、支持要素８に取り付けられてもよい。また、連結手段１０は、固定された方法で、支持要素８に取り付けられてもよい。
【００１６】
図２は、支持要素８内に設けられた連結手段１０がバネリング１３を含む、本発明による実施の形態の概略を示す。バネリング１３は、迫撃砲弾の尾部４を受けることができるような方法で形成される。図２によれば、迫撃砲弾１から離れた尾部４の尾管３の端部を特に受けることができるように、バネリング１３が形成される。バネリング１３は、尾管３の端部が置かれるように、開口を形成する。バネリング１３の開口は、尾管３が開口内に配置されると、バネリング１３が圧力を生成し、尾管３すなわち迫撃砲弾の尾部の外縁または外面１４にバネ力を向けるように設けられ、バネ力は迫撃砲弾１を支持部材６に取り付ける。すなわち、バネリング１３は、迫撃砲弾１を支持部材６に取り付けるための、迫撃砲弾１の尾部４にバネ力を向ける可撓性のある要素として機能する。
【００１７】
バネリング１３は、迫撃砲弾１の尾部４の一部を形成するガイド羽根５を受けるように配置されたスロットを含んでもよい。スロットは、尾管３の端部が、支持要素８の底部に対して配置されることを許す。さらに、バネリング１３は、迫撃砲弾１がバネリング１３によって境界を決められた開口内に容易に押圧されることができるが、発射前に結合が開かないようにそれを外に引くにはかなりのより強い力を要求するような形状からなっている。図２によれば、バネリング１３は、ガイド羽根５の間の領域で、迫撃砲弾尾部４の外縁１４にバネ力を向ける。スロットまたは他の対応する開口の間で、爪のようなバネ部材１８または他の対応する舌のような可塑部がバネリング１３内で延在し、その部分は迫撃砲弾の尾部４を受けるときに曲がる。すなわち、バネリング１３の開口は、迫撃砲弾１の尾部３の直径よりも小さくなっており、尾管３がバネリング１３内に挿入されると、バネリング１３の開口が大きさを大きくするようにバネ部材１８が曲がる。同時に、図２に示すように、バネ部材１８は押圧され、開口１４内に配置された迫撃砲弾１の尾部４の尾管３の外縁１４にバネ力を向ける。さらに、図２によれば、これらのバネ部材１８は、これらの端部が支持要素８の底部に向かって曲がるような形状からなり、迫撃砲弾の尾部４は、バネリング１３内に簡単に配置されることができるが、生成されるバネ力の影響によって、迫撃砲弾１をバネリング１３から取り除くことは、かなりのより大きな力を必要とする。
【００１８】
図３に示されるように、バネリング１３の別の実施の形態において、スロットは、ガイド羽根５を受けるときに曲がって、押圧されてガイド羽根５にバネ力を向けるように設けられてもよい。すなわち、ガイド羽根５を受けるときに、スロットが開き、迫撃砲弾１の縦軸の方向にあるガイド羽根５の表面にバネ力が向く。この場合でも、迫撃砲弾の尾部４は、バネリング１３内に簡単に配置されることができるが、生成されるバネ力によって、迫撃砲弾１をバネリング１３から取り除くことは、かなりのより大きな力を必要とするような形状となってもよい。このように、バネリング１３のスロットは、かなり簡単にガイド羽根５を受けるが、同時に、バネリング１３はガイド羽根５にバネ力を向け、このことによって、迫撃砲弾１をバネリング１３から取り除くことは、かなりのより大きな力を必要とする。
【００１９】
また、別の実施の形態において、バネリング１３は、上述した実施の形態が組み合わされるように設けられてもよく、この場合には、バネリング１３の開口内に尾管３を配置することは、尾部４の外面１４に向けたバネ力を生成すると同時に、スロット１６内にガイド部材５を配置することはガイド羽根５に向けたバネ力を生成する。上記を参照にして、バネリング１３は、迫撃砲弾１の尾部４の一部を受けるときに、迫撃砲弾１の尾部４に向けられたバネ力を生成することができるあらゆるリングのタイプでもよいことは注意されるべきである。
【００２０】
図４は、連結手段が一つ以上のラミネートリング２０を含む本発明の別の実施の形態を示す。図４の実施の形態において、支持部材８の連結手段は、取付スリーブ２１と、それに結合された伸張スリーブ２３とを含む。取付スリーブ２１は、支持部材８に、例えばねじや固定手段または別の機械的手段で取り付けられてもよい。図４において、二つのラミネートリング２０が、伸張スリーブ２３内の空間に配置されている。一つ以上の支持プレートやベースプレートが、ラミネートリングの間や前側および／または後側に配置されてもよい（図示せず）。伸張スリーブ２３の穴の直径は、伸張スリーブ２３が迫撃砲弾１の尾管３または尾管の頭部２５を受けることができるようになっている。ラミネートリング２０の一つの実施の形態が図５に示されている。伸張スリーブ２３内のラミネートリング２０の開口２４の直径は、迫撃砲弾１の尾管３の外径または頭部２５の外径よりも、少なくともわずかに小さい。このように、迫撃砲弾１が支持部材８内に挿入されるときに、ラミネートリング２０特にその薄板２２が曲がり、迫撃砲弾１の尾管３または頭部２５に、迫撃砲弾１を支持部材８に取り付けるバネ力が向く。支持プレートおよびベースプレートの開口の直径は、実質的に、迫撃砲弾１の尾管３の外径または頭部２５の外径に対応し、迫撃砲弾に抵抗や力を何も向けない。
【００２１】
上述したように、連結手段１０は、好ましくは、望ましいバネ力の大きさ、または、迫撃砲弾を取り付けるために必要な力に基づいて、一つ以上のラミネートリング２０を含む。ラミネートリング２０の内縁は、図５に示されるように、曲がることができる隣接した薄板２２に分けられる。薄板２２の数と、周縁方向および周縁の半径方向における長さは、望ましいバネ力が生成されるように、必要に応じて変わってもよい。ラミネートリング２０は、スチール板を切断もしくは対応する別の方法または別の対応する材料によって生成されてもよい。
【００２２】
図６は、支持要素８の連結手段１０が可撓部３０を含む、本発明による実施の形態を概略で示す。さらに、カウンターパート３２が迫撃砲弾１の尾部４の尾管３の端部に設けられている。可撓部３０はカウンターパート３２を受けるように配置され、可撓部３０が曲がって、バネ力が、受けられたカウンターパートに迫撃砲弾１を支持部材６に取り付けるために向けられる。図６の場合、可撓部は、カウンターパート３２を受けるときに、その縦軸を横断する方向で曲がるスリーブのような連結部３０である。カウンターパート３２は迫撃砲弾の尾部４に設けられ、特に、図６に示されるように、尾管３の端部に設けられる。この実施の形態において、連結部３０は、スリーブのような連結部を提供する円弧アーチで配置された複数の可撓性のある爪のような部分からなっている。
【００２３】
図７の実施の形態において、スリーブのような連結部３０は、その内部でカウンターパート３２を受ける。カウンターパート３２は、迫撃砲弾の尾部４から離れた円錐状の開口を含む。この円錐は、支持部材６内に正確に迫撃砲弾１を配置することを容易にする。さらに、カウンターパート３２の円錐は、カウンターパート３２が連結部３０内に配置されるように、スリーブのような連結部３０の内壁に対して押圧される。押圧し曲がることによって、連結部３０が押圧され、同時に、バネ力を、支持部材６に迫撃砲弾を取り付けるために、その内部に配置されたカウンターパート３２の外面に向ける。上記を達成するために、カウンターパート３２は、その外径が、連結部３０の内径よりも少なくとも部分的に大きくなるような大きさとなり、カウンターパート３２が内部に配置されると、連結部３０が曲がるように力が加えられる。好ましい実施の形態においては、連結部３０は、連結部３０の上面が連結部３２の円錐を通過するよう、カウンターパート３２の内部に挿入される。そして、スリーブのような連結部３０が、カウンターパート３２の内部にしっかりと配置され、外れないようになる。カウンターパート３２の円錐形状は、図７に示すように、カウンターパートが連結部３０内に嵌め込まれ、迫撃砲弾が支持部材８から容易に離れなくなることも可能にする。
【００２４】
カウンターパート３２は、迫撃砲弾の尾部４の尾管３の端部に設けられ、この場合、それは尾管３が延びたものまたは尾管の一部である。別の実施の形態において、カウンターパート３２は、中空になった尾管３の単に端部であってもよく、それはカウンターパート３２を形成する。
【００２５】
連結部３０によってカウンターパート３２に向けられたバネ力は、さらに、連結部内に取り付けられた一つ以上のバネ要素（図示せず）によって増加かれることもできる。バネ要素は、連結部３０の外面に配置された別個の複数のバネであってもよく、その代わりに、連結部３０の外縁の周りに一つのバネが配置されてもよい。また、カウンターパート３２は、連結部３０の周りに配置されるように形取られて設けられてもよく、可撓性のある連結部３０のバネ力はカウンターパート３２の内面に向けられる。カウンターパート３２は、迫撃砲弾１の尾部４の頭部２５であってもよい。
【００２６】
上記を参照として、迫撃砲弾の尾部を受けるバネリングまたはその内部の一部と、その周りで尾部に設けられたカウンターパートを受ける可撓性のある連結部の両方が、複数の方法で、形取られ修正されてもよいことは注意されるべきである。すなわち、本発明にとって、迫撃砲弾がバネ力によって支持部材に取り付けられうることが本質である。バネ力は、支持要素内に設けられて、迫撃砲弾が支持部材に取り付けられるときに曲がるように配置される可撓部によって、生成される。また、ある場合には、迫撃砲弾は、上述された二つ以上の実施の形態によって支持部材８に取り付けられうることは注意されるべきである。
【００２７】
技術が進むについて、本発明の基本的な概念は、複数の方法で実施されうることは、当業者にとって自明である。このため、本発明とその実施の形態は、上記の例に限定されることはなく、請求項の範囲内で変更してもよい。
【図１】
2011511249.tif 000003
【図２】
2011511249.tif 000004
【図３】
2011511249.tif 000005
【図４】
2011511249.tif 000006
【図５】
2011511249.tif 000007
【図６】
2011511249.tif 000008
【図７】
2011511249.tif 000009
【手続補正書】
【提出日】平成21年11月26日(2009.11.26)
【手続補正１】
【補正対象書類名】特許請求の範囲
【補正対象項目名】全文
【補正方法】変更
【補正の内容】
【特許請求の範囲】
【請求項１】
後装式バレル内で迫撃砲弾（１）を支持するための支持部材（６）であって、
端部フランジ（７）を有する支持要素（８）と、
前記迫撃砲弾（１）の実際のプライマーを点火するための点火機構と、
前記迫撃砲弾（１）の尾部（４）に前記支持要素（８）を取り付けるための連結手段（１０）と、を備え、
前記尾部はガイド羽根（５）を含み、
前記迫撃砲弾（１）の前記尾部（４）に前記支持要素（８）を取り付けるための前記連結手段（１０）は、前記迫撃砲弾（１）の前記尾部（４）の一部を形成する一つ以上のガイド羽根（５）にバネ力を向けるように配置されている少なくとも一つの可撓部（１３，２０，３０）を含む、ことを特徴とする支持部材（６）。
【請求項２】
前記可撓部（１３，２０，３０）は、前記迫撃砲弾（１）の前記尾部（４）の外縁（１４）にバネ力を向けるように配置されている、ことを特徴とする請求項１に記載の支持部材（６）。
【請求項３】
前記可撓部は、前記迫撃砲弾（１）の前記尾部（４）の前記外縁（１４））にバネ力を向けるように、前記迫撃砲弾（１）の前記尾部（４）を受けるように配置されたバネリング（１３）を含む、ことを特徴とする請求項２に記載の支持部材（６）。
【請求項４】
縁に、二つ以上の隣接する薄板（２２）を含む一つ以上のラミネートリング（２０）を備え、
前記ラミネートリング（２０）は、前記ラミネートリング（２０）の一つ以上の薄板（２２）が、前記迫撃砲弾（１）の前記尾部（４）の外縁（１４）にバネ力を向けることで、前記迫撃砲弾（１）の前記尾部（４）を受けるように配置されている、ことを特徴とする請求項２に記載の支持部材（６）。
【請求項５】
前記可撓部は、前記迫撃砲弾（１）の前記尾部（４）の一部を形成する一つ以上のガイド羽根（５）にバネ力を向けるように、前記迫撃砲弾（１）の前記尾部（４）の一部を形成する一つ以上のガイド羽根（５）を受けるように配置されたスロットを有するバネリング（１３）を含む、ことを特徴とする請求項３に記載の支持部材（６）。
【請求項６】
迫撃砲弾に支持部材を取り付けるための方法において、
前記迫撃砲弾の尾部に、支持要素を含む支持部材を配置することと、
前記迫撃砲弾の前記尾部に前記支持部材を取り付けることと、を備え、
前記支持部材を、前記迫撃砲弾の尾部の一部を形成する一つ以上のガイド羽根に、一つ以上の可撓部によって取り付け、
前記迫撃砲弾の尾部を受けるときに、前記可撓部が、前記迫撃砲弾の尾部の一部を形成する一つ以上のガイド羽根にバネ力を向ける、ことを特徴とする方法。
【国際調査報告】
2011511249.tif 000010
2011511249.tif 000011
2011511249.tif 000012
2011511249.tif 000013